(57)【要約】  少なくとも１つのデータ検出装置を含み、少なくとも一人のユーザーの体調の１つ以上の表示データを検出するのに適し、前記表示データをデータ処理装置に送信することができるモニタリングシステムであって、前記データ処理装置は、前記データ検出装置から受信した前記表示データを取得して処理することができ、それらのデータを所定の値の範囲と比較し、受信した前記表示データが所定の値の範囲に入らないときアラーム信号を発することができる。【選択図】図１
2019536177.tif 000002
【特許請求の範囲】
【請求項１】
少なくとも１人のユーザーの体調のモニタリングシステムであって、
センサーを用いて、ユーザーの体調の１つ以上の表示データを検出するのに適し、前記表示データをデータ処理装置（３）に送信することができる少なくとも１つのデータ検出装置（２）を備え、
前記データ処理装置（３）は、前記データ検出装置（２）から受信した前記表示データを取得及び処理することができ、それらのデータを事前に設定された所定の範囲の値と比較し、
受信した前記表示データが所定の値の範囲内に入らない場合に、アラーム信号を発することを特徴とするモニタリングシステム。
【請求項２】
前記データ処理装置（３）は、データ収集制御装置（４）を含むことを特徴とする請求項１に記載のモニタリングシステム。 
【請求項３】
前記データ処理装置（３）は、前記表示データを前記データ収集制御装置（４）に送信することができる通信装置（５）を備えることを特徴とする請求項１又は２に記載のモニタリングシステム。
【請求項４】
前記データ収集制御装置（４）は、１つ又は複数の所定の動作をトリガーするために前記アラーム信号をオペレーションセンター（６）に送信し、
前記オペレーションセンター（６）は、前記データ収集制御装置によって送信されたアラーム信号に応答して警報装置（７）を作動させることを特徴とする請求項１〜３のいずれか１項に記載のモニタリングシステム。 
【請求項５】
前記警報装置（７）は、視覚信号及び／又は音響アラーム信号を発して前記ユーザーにアラーム信号を通知するか、又は呼び出し信号を１つ又は複数の所定の通信装置に送信することを特徴とする請求項１〜４のいずれか１項に記載のモニタリングシステム。
【請求項６】
前記データ検出装置（２）は、ブルートゥース又は無線周波数の伝送システムを介して前記データ処理装置（３）と通信することを特徴とする請求項１に記載のモニタリングシステム。
【請求項７】
前記通信装置（５）は、パーソナル通信装置（５ａ）又は多重通信装置（５ｂ）を含むことを特徴とする請求項３に記載のモニタリングシステム。
【請求項８】
前記パーソナル通信装置（５ａ）は、携帯電話、コンピューター又はタブレットを含むことを特徴とする請求項１〜７のいずれか１項に記載のモニタリングシステム。
【請求項９】
前記多重通信装置（５ｂ）は制御局を備えることを特徴とする、請求項１〜７のいずれか１項に記載のモニタリングシステム。
【請求項１０】
前記データ検出装置（２）は、前記ユーザーの体の近くに検出センサーを有するウェアラブル装置を含み、
前記ウェアラブル装置は、前記ユーザーの身体に固定するためのカフ状支持部（２ａ）、又は前記ユーザーが着用した衣服に前記ウェアラブル装置を固定するのに適したクリップ固定要素（２ｂ）を有することを特徴とする請求項５に記載のモニタリングシステム。
【請求項１１】
請求項１〜１０のいずれか１項に記載のモニタリングシステムであって、
それぞれが前記各ユーザーに割り当てられ、それぞれが前記センサーによって、前記それぞれのユーザーの体調の１つ又は複数の前記表示データを検出するのに適しており、
前記表示データを前記データ処理装置（３）に送信することができる複数の前記データ検出装置（２）を備えており、
前記データ処理装置（３）は、前記データ検出装置（２）から受信した前記各ユーザーについての前記表示データを取得して処理することが可能であり、
前記データ処理装置（３）は、前記データを前記個々のユーザーに関して予め定義された所定の範囲の値と比較し、受信された前記表示データが特定の前記ユーザーに関する前記所定の値の範囲内に入らないときに、アラーム信号を発することを特徴とするモニタリングシステム。
【請求項１２】
請求項１〜１１のいずれか１項に記載のモニタリングシステムであって、
前記データ収集制御装置（４）は、各々が少なくとも１つの前記データ検出装置（２）を備えている複数の前記ユーザーを同時にモニターするための制御コンソールを備えていることを特徴とするモニタリングシステム。
【請求項１３】
ユーザーの体調をモニタリングする方法であって、
ａ．データ検出装置（２）による前記ユーザーの体調の表示データを検出するステップと、
ｂ．検出された前記表示データをデータ処理装置（３）に送信するステップと、
ｃ．前記データ検出装置（２）から受信したデータを処理するステップと、 
ｄ．前記表示データを所定の値の範囲と比較し、受信した前記表示データが所定のデータ範囲内に入らないときに警告信号を発するステップと、
ｅ．ユーザーに、視覚的及び／又は音響的警告信号を発信するステップと、及び／又は
f．警報装置を作動させるステップとを含むことを特徴とするモニタリング方法。
【請求項１４】
請求項１３に記載のモニタリング方法であって、前記表示データを前記データ検出装置（２）から前記データ処理装置（３）に送信するステップは、ブルートゥース又は無線周波数の伝送システムによって行われることを特徴とするモニタリング方法。
【請求項１５】
請求項１３に記載のモニタリング方法であって、
前記データ検出装置（２）によって生成された前記表示データは、最初に通信装置（５）によって分析され、続いてデータ収集制御装置（４）に送信され、前記データ収集制御装置はデータ表示を所定の値範囲と比較することを特徴とするモニタリング方法。
【請求項１６】
請求項１３〜１５のいずれか１項に記載のモニタリング方法であって、前記通信装置（５）から前記データ収集制御装置（４）へのデータの送信は、信号暗号化ステップを介して行われることを特徴とするモニタリング方法。
【請求項１７】
請求項１３に記載のモニタリング方法であって、前記データ処理装置（３）によって受信された前記表示データがデータ記憶装置に記憶されるステップを含むことを特徴とするモニタリング方法。
【請求項１８】
請求項１３に記載のモニタリング方法であって、実際に危険が存在する場合にのみ前記アラーム信号を送信するような方法で誤検出を除去するために、決定アルゴリズムを介して前記表示データを事前分析するステップを含むことを特徴とするモニタリング方法。
【請求項１９】
ユーザーの体調を監視するためのコンピューターにより実施される方法であって、
−データ収集制御装置（４）にアラームを送信するステップと、
−前記ユーザーの身体状態を確認するために前記ユーザーに制御信号を送信するステップと、
−前記ユーザーが受信した前記制御信号をキャンセルしない場合、すなわち実際の危険がある場合に限り緊急援助を要求するためのアラーム信号を送信するステップとを含むことを特徴とする方法。
【請求項２０】
請求項１９に記載の方法であって、さらに、前記ユーザーに前記制御信号を送信する前に、前記データ検出装置（２）から受信した前記表示データをモニターし、それらのデータを予め設定された所定の範囲の値と比較するステップと、
受信した前記表示データが前記予め設定された値の範囲内に入らない場合、制御信号が最初に前記ユーザーに送信されるステップを含むことを特徴とする方法。
【請求項２１】
請求項１９に記載の方法であって、前記ユーザーが非常ボタンを押し続けることによって前記アラームが送信されることを特徴とする方法。
【請求項２２】
請求項１９〜２１のいずれか１項に記載の方法であって、前記ユーザーに送信された前記制御信号は、前記ユーザーによって支援の要求を取り消すために無効にされ得ることを特徴とする方法。
【請求項２３】
請求項１９〜２２のいずれか１項に記載のコンピューターにより実施される方法を実行するように構成されたコンピュータープログラム。
【発明の詳細な説明】
【技術分野】
【０００１】
本発明は、少なくとも１人のユーザーの体調をモニターするためのシステム、及び、それに関係した方法に関する。
本発明は、特に、体調を常時モニターする必要のある全てのユーザーが、その身に危険が発生した場合に緊急の援助を受けるのに役立つものである。
【０００２】
このようなシステムは、例えば、保険会社が、被保険顧客をモニターすることで彼らの健康や生命にとって深刻な危険を伴う状況を回避するのに加えて、彼らに起こり得るダメージを低減する緊急時の支援を追加のサービスとして彼らに提供するのに使用されてもよい。
【背景技術】
【０００３】
現在知られている救命装置は、アラーム信号を送信するためにオペレーションセンターあるいは１人以上の救助者と通信することができる携帯機器が装備されている。
もし、彼／彼女の気分が良くないか危険な状態にあるためこのユーザーが援助を必要とする場合、彼／彼女が救命装置のボタンを押すことにより、介入要求の信号が活性化される。
【０００４】
この救命装置は、１つ以上の事前設定された（例えば、応急処置を施すことができる親戚や友人の）電話番号や、救急プロトコルに従って緊急手順を起動するオペレーションセンターへ、事前に録音された救助メッセージとともに音声通話を送信する、電話交換機に接続されている。
このオペレーションセンターは、介入要求の通知を受けて、直ちに救急サービスと連絡をとり、救急車と医療関係者の介入を要求する。
【発明の概要】
【０００５】
しかしながら、ユーザー自身が緊急信号を活性化しなければ、このシステムは彼／彼女自身の救助信号を送信することができない。言い換えれば、例えば、ユーザーがその突然の体調不良時に、間に合う時間内に救命装置を自ら活性化しなければ、応急処置の手順を活性化することができない。
【０００６】
また、ユーザーが、ウェブカメラとマイクロホンを使用して、遠くから医療パラメーターを送信し、医療スタッフがユーザーの体調をモニターし、専門の医療援助を提供することができるようした装置も知られている。この種の装置も、また依然としてユーザーの介入を必要とし、このユーザーは自分自身のパラメーターを入力して送信するか、又は医療センターと通信する医療機器（血圧計、飽和度計、心電図など）をユーザーが自主的に使用しなければならない。
【０００７】
このように、現在知られている救命装置には、ユーザーによる積極的な介入を必然的に必要とし、ユーザーの突然の不快状態や事故の場合には援助できないという限界がある。言い換えれば、ユーザーが救助要求を自主的に送信することができなければ、その救命装置は効果がない。
【０００８】
本発明の目的は、上記先行技術の欠点を解決することにある。
本発明の１つの目的は、ユーザーの体調をモニターし、そのユーザーの体調が突然崩れたり事故が発生したりしたような場合にも、そのユーザーに対する救助介入が可能なシステムを提供することにある。
【０００９】
本発明の他の目的は、ユーザーの体調をモニターし、そのユーザーの生体医学パラメーターの一定の制御を可能とし、ユーザーが不快状態や事故あるいは他の危険な状態にある場合に、迅速かつ緊急の救助介入を可能にするシステムを提供することにある。
【００１０】
本発明のさらなる目的は、ユーザーの体調をモニターし、そのユーザーが積極的に関与しなくても、救助介入を可能にする方法を提供することにある。
本発明のさらに有利な特徴は、従属クレームに記載の通りである。
【図面の簡単な説明】
【００１１】
【図１】本発明の第１の実施例による、ユーザーの体調をモニターするためのシステムの概略図である。
【図２】本発明の第２の実施例による、ユーザーの体調をモニターするためのシステムの概略図である。
【図３ａ】本発明の第１の実施例による、モニタリングシステムを形成するデータ検出装置の正面図である。
【図３ｂ】本発明の第１の実施例による、モニタリングシステムを形成するデータ検出装置の側面図である。
【図４ａ】本発明の第２の実施例による、モニタリングシステムを形成するデータ検出装置の正面図である。
【図４ｂ】本発明の第２の実施例による、モニタリングシステムを形成するデータ検出装置の側面図である。
【図５】図１における、一人のユーザーの体調をモニターするシステムの概略図である。
【図６】多数のユーザーの体調をモニターするためのシステムの概略図である。
【発明を実施するための形態】
【００１２】
本発明は、単に例として提供される添付図面を参照した、以下の発明の詳細な説明により、一層明白になると思う。
【００１３】
各図において、１は、本発明における少なくとも１人のユーザーの体調をモニターするためのモニタリングシステムを概略的に示している。
【００１４】
モニタリングシステム１は、ユーザーの身体の近くに配置された図示しない複数の検出センサーによって、ユーザーの体調の１つ又は複数の指標を検出するように構成された少なくとも１つのデータ検出装置２を備えている。
これらのセンサーは、バイオメトリックスタイプで、マイクロプロセッサー・システムによってコントロールされるのが好ましい。
【００１５】
データ検出装置２は、できればウェアラブルタイプの装置で、ユーザーの身体に固定されるカフ２ａ（図４ａ、図４ｂ参照）の形をしているか、ウェアラブルなデータ検出装置２をユーザーの衣服に固定するのに適切なクリップ固定要素２ｂ（図３ａ、３ｂ参照）を含んでいるのが望ましい。言い換えれば、データ検出装置２は、カフ状支持部２ａに挿入されるか又はクリップ２ｃを備えた、取り外し可能な電子モジュールを含んでいる。カフ２ａは、任意の手首のサイズに調整することができ、締め付け固定及び緩めが容易な閉鎖部を提供することができるのが望ましい。
【００１６】
カフはまた、医療分野での承認に適した、非アレルギー性かつ無毒な材料で作られているのが望ましい。さらに、ユーザーが、昼も夜もそれを着用できることが、人間工学的に望ましいことである。
【００１７】
前記２つの実施例では、データ検出装置２は、例えば、存在センサー、皮膚温センサー、プレチスモグラフィ若しくは心拍数センサー、及び三軸加速度計を装備している。
他のタイプのセンサー、例えば、基本バージョン中で使用されるブルートゥース（登録商標）−ローエナジー（ＢＬＥ）送信の機能に加えて、飽和度計（血液酸素化）と無線周波数の送信機能とが最新版の中に存在しても良い。
【００１８】
モニタリングシステム１は、さらに、データ検出装置２から受信した指標を取得し処理できるデータ処理装置３を含んでいる。データ検出装置２によってデータ処理装置３へ送られたデータは以下に説明するように、データ処理装置において、以前にデータ検出装置２から送られてきた所定の範囲の値と比較される。
データ処理装置３は、受信した指標が予め定義した値の範囲内にない場合、アラーム信号を出力することができる。
【００１９】
データ検出装置２によってなされた測定結果は、ブルートゥース（登録商標）‐ローエナジー（ＢＬＥ）プロトコルあるいは無線周波数の、無線通信チャンネルを介して利用可能になる。
【００２０】
ユーザーとの対話が、単一の多機能ボタンと同様に、視覚的及び音声的なシグナル表示を介しても行われる。シグナル表示は、振動装置を介して提供されても良い。ディスプレイのタイプは限定されない。
【００２１】
データ処理装置３は、データ収集制御装置４やサーバを含んでいる。
データ処理装置３は、さらに、データ収集制御装置４に指標を送信することができる通信装置５を含んでいても良い。
【００２２】
この通信装置５は、ウェアラブルなデータ検出装置２の中にあるセンサーによって検知されたユーザーの指標あるいは機能的なパラメーターを、データ収集制御装置４に送信する。
データ収集制御装置４やサーバは、通信装置から受信したデータを処理し、ユーザーにより入力された、あるいはウェアラブルなデータ検出装置２により自動的に記録された設定値と比較する。例えば、心拍数データは「ビートビート」として読み取られ、各ビートにおいて、全てのセンサーからの全てのデータがデータ処理装置３に文字列型のデータとして渡される。
【００２３】
さらに、ユーザーが、血液型、年齢、アレルギー、薬の必要性など、自分の救命データを入力したものを、参照パラメーターとして保持しておくことも可能である。
そして、データ検出装置２によって検知されたユーザーのパラメーターが所定値と異なる場合、データ処理装置３、特にデータ収集制御装置４は、１つ以上の予め定義されたアクションを活性化するために、オペレーションセンター６へアラーム信号を送信することを決定する。
【００２４】
オペレーションセンター６では、データ収集制御装置４によって送られたアラーム信号に応答して、警報装置７を活性化する。この警報装置は、１つ以上の所定の通信装置に呼び出し信号を順番に送信することができる。この警報装置７は、視覚信号及び／又は音響アラーム信号を発してユーザーにアラーム信号を警告することができる。言い換えれば、警報装置７は、処理されるアラームのトリガーに関して、モニタリング対象のユーザーにフィードバックを与えることができる。このフィードバックはまた、正当な理由なしに救助を要請する可能性のある、誤検知信号を防ぐためにも使用される。
【００２５】
データ検出装置２は、ブルートゥース（登録商標）又は無線周波数の伝送システムによって、データ処理装置３と通信する。通信装置５は、ポータブル若しくはウェアラブルなデータ検出装置２からデータを受信し、処理し、送信可能な、携帯電話、コンピューター、タブレットあるいは他のメディアのような、パーソナル通信装置５ａを含んでいる。
【００２６】
あるいはまた、通信装置５は、基地局のような多重通信装置５ｂを含んでいても良い。この「多重通信装置」５ｂは、複数の入力指標を受信し処理可能であり、複数のデータ検出装置２と一方向に通信できる通信装置を意味している。
【００２７】
言い換えれば、代替バージョンでは、本発明のモニタリングシステムは複数のデータ検出装置２を提供し、それらの各々は各ユーザーに割り当てられ、このデータ検出装置の各々は、複数のセンサーが対応する個々のユーザーの体調の１つ以上の指標を検知し、この検知された指標をデータ処理装置３へ送信可能に構成されている。
【００２８】
従って、両バージョンのいずれも、多くのユーザーの場合と同様に一人のモニター対象のユーザーに対しても、データ処理装置３が、シングルユーザーや多数のユーザーの各々に関して、データ検出装置２から受信した指標を処理し、受信した指標の値を予め定義した値の範囲と比較し、特定のユーザーの値が予め定義した範囲内にない場合には、その特定のユーザーに関してアラーム信号を出力する。
【００２９】
ウェアラブルなデータ検出装置２は、データを通信装置５（スマートフォン、タブレット、コンピューター、基地局）に送信し、この通信装置５は、第１の処理を実行し、そのデータをＧＰＳ測位値と相互参照する。そして、「事前アラーム」の場合、好ましくは暗号化されたデータをデータ収集制御装置４に送信し、ここでアルゴリズムは危険があるかどうかを判断する。  そして、判断が肯定の場合には、緊急時（ＩＣＥ）番号に電話するためにプリセット番号に電話をかけるか、又はユーザーに電話をかけてくれるオペレーションセンターに電話をかける。そして、手順に従って、電話を切るか、警察や救急車、消防隊などの救急サービス８に連絡するか、問題の処理の責任者に連絡するかを決定する。  
【００３０】
好ましくは、シングルユーザーのモニタリングの場合には、通信装置５はパーソナルタイプであり、従って、それはスマートフォンやタブレット５ａ（図１及び図５参照）である。そして、データ検出装置とパーソナルタイプの通信装置５ａの間の伝送システムは、ブルートゥース（登録商標）（登録商標）‐ローエナジー（ＢＬＥ）プロトコルによって動作する。
【００３１】
前に言及したように、本発明のモニタリングシステム１は、各患者が各々少なくとも１つのデータ検出装置２を装備した、多くの患者を対象としたモニタリングを行えることも対象としている。この場合、通信装置５は、データ収集制御装置４（図２及び図６参照）と通信する、制御局か基地局のような多重通信装置５ｂが望ましい。
【００３２】
後者の通信装置５は、（ログイン及びパスワードを介してアクセスを許可する）１つ又は複数のモニタリング対象を視覚できるコンソール、ソフトウェア、又はアプリケーション（アプリ）を備えている。
【００３３】
サーバ又はデータ収集制御装置４に存在するコンソールは、ユーザーが危険にさらされている場合に、視覚的に、警告する。（プライバシーのための）アラームの後に表示されるユーザーページにアクセスして、センサーのリアルタイムデータを見ることができる。すなわち、どのセンサーがアラーム状態にあるか、人の命を救うデータ、アラーム発生時の位置マーカーを含む地図、及び過去１時間の経路（ゼロから常時までの範囲の変数）のデータを見ることができる。
【００３４】
多数のユーザーのモニタリングの場合には、各データ検出装置２が、それぞれの無線周波数によって対応する多重通信装置５ｂあるいは基地局に、検知された値を送信する。
【００３５】
通信装置５は、ソフトウェア自体のソースファイルにインターネット接続されている意思決定アルゴリズムを使用することによって、データを事前分析するそれぞれのソフトウェアによって制御され、それによって、潜在的なアラーム状況にあるかどうかを理解する。潜在的なアラーム状況になると、ソフトウェアはデータ収集制御装置４へのデータ送信を開始し、所定の時間間隔（例えば２分又は３分）の間、継続的に全てのセンサーの全て暗号化されたデータを送信する。
非アラーム状態の場合には、ＧＰＳの位置情報だけが予め定義した時間間隔（例えば３分あるいは５分毎）に、データ収集制御装置４に送られる。従って、ＧＰＳはアラーム状態にない時は、所定の時間間隔（例えば５分毎に０．５秒間）で、スイッチオンとなる。
【００３６】
また、データ収集制御装置４には、個人データを格納するのに適したテーブルに個人データが書き込まれるデータベースが設けられている。このテーブルは好ましくは暗号化される。また、非アラーム状態の場合には、データ収集制御装置４は、所定の時間間隔（例えば３分あるいは５分毎）に、特定の専用テーブルにユーザーの位置情報を書き込む。
【００３７】
潜在的なアラーム状況の場合、データ収集制御装置４は、数分間毎（例えば２分あるいは３分毎）に、ソフトウェアからデータ収集を連続的に受信する。このデータは、続いて、意思決定アルゴリズムで処理される。データ解析の後、事前アラームが終了するか、「緊急アラーム」がトリガーされる。
【００３８】
後者の状態では、データ収集制御装置４は、オペレーションセンター６と通信して、モニタリング対象のデータの一部である緊急時（ＩＣＥ）番号に連絡するために予め記録された電話をデフォルト番号に送信するよう命令する。このデフォルト番号は、問題の管理に使用するために、アラームの場合にのみ復号化される。
【００３９】
ＩＣＥ緊急時電話番号は、世界中のどこにでもダイヤルされ、モニタリング対象の人が危険にさらされる可能性があることを警告する音声録音が送信される。これは全て、緊急時に同期的かつ邪魔にならない方法で、オペレーションセンターまたは選択された人に同期的に連絡するように警告し、それを彼／彼女がリアルタイムで知らされていることを確認するためである。
【００４０】
誤検知を回避するために、アラーム信号がトリガーされる前に、サーバ又はデータ収集制御装置４は、第１の異常値を受け取った後の一定の時間後にフィードバック信号を要求する。
【００４１】
例えば、ティアセンサーとしても知られている存在センサーは、あらゆる攻撃や転倒を検出するために使用される。データ検出装置２が、モニタリング対者象の皮膚上に存在しなくなった場合、これはおそらく落下又は攻撃によりそれが引き剥がされたことを意味する。
ウェアラブル装置の不在が検出された場合、アラームが送信される前に、制御ユニットは数秒間待機し、データ検出装置２によって送信された新しいデータをチェックする。その存在が検出された場合、信号は送信されず、存在が検出されなければ、大きな音、又は彼／彼女のタブレットもしくはスマートフォンの画面上の点滅によって、モニターされている人に最初のフィードバックが送信される。フィードバックが受信されない場合、制御装置は呼び出しを扱うオペレーションセンター６に警報する。
【００４２】
さらに、温度センサー、プレチスモグラフィ又は心拍数センサー、３軸加速度センサー（たとえば、転倒、歩数、動きのモニターなどを検知することができる）などの他のセンサーについても同様の動作が行われる。
【００４３】
モニタリングシステムはまた、ボタン２ｄを含み、ユーザーがそれを使用してボタンへの圧力の持続時間に基づき１つ又は複数の区別された機能を要求することができるように構成するのが望ましい。特に、ボタンがパニック機能を作動可能に構成することで、ユーザーは、制御センターからの緊急の援助を求めることができるようになる。
要求に応じて、他の特徴を実装することもできる。
【００４４】
２つの送信プロトコルは、モニタリングシステムが、開放環境と閉鎖された環境の両方で動作しなければならないという事実にもよる。
【００４５】
自宅でもオフィスでも、携帯電話に頼らないことが好ましいことを認識しなければならない。そのためには、無線通信プロトコルと独自のカフを使用するのが最善である。実際、閉鎖された環境では、ブルートゥース（登録商標）‐ローエナジー・プロトコルを使用するのではなく、無線周波数を使用することが好ましく、これにより、データ検出装置２とデータ収集制御装置４との間での最大８００ｍ（オープンフィールド）の動作が可能になる。
これは、家庭やオフィス、あるいは地理的に固定された場所では、携帯電話の代わりに、アンテナと統合ＳＩＭを搭載し無線周波数で動作するアンドロイドスティックを使用することができ、これに、（例えば家族全体をモニターするために）複数のデータ検出装置２を接続することができる。それは、最大８００ｍの距離で操作することも可能であり、携帯電話は不要である。
最後に、無線周波数はＢｌｕｅｔｏｏｔｈ（登録商標）よりも広く普及してているので、両方のプロトコルを有するデータ検出装置２は、家やアンドロイドスティックがある所はどこでも、携帯電話への送信を停止し、アンドロイドスティックすなわち多重通信装置５ｂへの送信を開始する。これに反して、基地局の無線通信の範囲外では、関連付けられているスマートフォンを探し、送信を続ける。
【００４６】
本発明の目的は、さらに、ユーザーの体調をモニターする方法を提供することにあり、そのために、データ検出装置２によってユーザーの体調の指標を検出し、検出された指標をデータ処理装置３に送信するステップと、データ処理装置３で、データ検出装置２から受信したデータを処理し、それを所定の範囲の値と比較するステップと、受信された前記指標が所定の値の範囲内にない場合、視覚的及び／又は音響的警告信号がユーザーに発せられ、及び／又は警報装置の作動のための信号が出力されるステップを含む。
【００４７】
データ検出装置２によって送信されたデータは、データ処理装置３内で、最初に通信装置５によって分析され、その後データ収集制御装置４に送信され、データ収集制御装置４はそれを所定の値の範囲と比較する。
【００４８】
本発明はまた、異なるアルゴリズムを実行することを可能にする、コンピューターによって実施される方法、及びこの方法を実施するように構成されたコンピュータープログラムに関する。
このような意思決定アルゴリズムの例を、以下に示す。
【００４９】
例１：非常ボタンを押した場合のアルゴリズム・フローチャート
１．開始
２．ユーザーにより、非常ボタンが少なくとも３秒間押される
３．緊急アラーム
ａ．モニタリング対象ユーザーへの次の手段によるフィードバック
ｉ．携帯電話による大きな音
１．所要時間３０秒
２．止められない  
３．携帯電話が消音（ミュート）にされていても聞こえる
ａ．それは以下の目的を果たす
ｉ．攻撃者に離れるよう誘導する
ｉｉ．モニタリング対象者に、電話が処理されていること、及び助けが提供されることを知らせる
ｉｉ．サイレンのロゴが付いた赤い携帯電話の画面
４．ＩＣＥ（緊急時）番号への電話
５．オペレーションセンターがモニタリング対象ユーザーに電話をかけて、実際の重大度を理解する；
６．もし、モニタリング対象ユーザーが介入を必要としない場合、緊急アラームは停止；
７．介入が必要な場合は、ＯＣ（オペレーションセンター）は警察、又は救急車、又は消防隊に電話
８．終了
【００５０】
例２：アルゴリズム・フローチャート  ブランチ  存在センサー
１．開始
２．存在センサー・アラーム（すなわちウェアラブル装置が取り外された）
３．約３秒経過
４．存在センサーがまだアラーム状態にあるかどうかを確認
５．もし、アラーム状態でなければ、存在センサー・アラームの終了
６．もし、そうならば：緊急アラーム
ａ．モニタリング対象ユーザーへの次の手段によるフィードバック
ｉ．携帯電話での大きな音
１．３０秒止められない持続
２．止められない
３．携帯電話が消音にされていても聞こえる
ａ．それは次の目的に役立つ
ｉ．攻撃者に離れるよう誘導する
ｉｉ．モニタリング対象者に、電話が処理されていること、及び助けが提供されることを知らせる
ｉｉ．サイレンのロゴが付いた赤い携帯電話の画面  
７．ＩＣＥ（緊急時）番号への電話
８．オペレーションセンターがモニタリング対象ユーザーに電話して、実際の重大度を把握
９．もし、モニタリング対象ユーザーが介入を必要としない場合、緊急アラームは停止；
１０．介入が必要な場合は、ＯＣ（オペレーションセンター）が警察、又は救急車、又は消防隊に電話をかける
１１．終了
【００５１】
例３：アルゴリズム・フローチャート  ブランチ  落下
１．開始
２．落下検知センサー・アラーム（落下の可能性）
３．事前アラーム
ａ．モニタリング対象ユーザーへの次の手段によるフィードバック
ｉ．携帯電話での大きな音
１．止めることができる
ｂ．携帯電話が消音にされていても聞こえる
４．所要時間３０秒  
５．ユーザーがアプリケーションを介して手で事前アラームを停止
６．事前アラームの終了
７．もし、彼／彼女がそれを止めない場合：緊急アラーム
ａ．モニタリング対象ユーザーへの次の手段によるフィードバック
ｉ．携帯電話での大きな音
１．持続時間３０秒。
２．止めることができない
３．携帯電話が消音にされていても聞こえる
ａ．それは以下の目的を果たす
ｉ．攻撃者に離れるよう誘導する  
ｉｉ．モニタリング対象者に、電話が処理されていること、及び助けが提供されることを知らせる
ｉｉ．サイレン・ロゴのついた赤い携帯電話スクリーン
８．ＩＣＥ（緊急時）番号への電話
９．オペレーションセンターは、実際の厳しさを理解するためにモニターされたユーザーに電話
１０．もし、モニターされたユーザーが介入を必要としなければ、緊急アラームは停止；
１１．介入が必要な場合には、ＯＣ（オペレーションセンター）が警察、又は救急車、又は消防隊に電話する
１２．  終了
【００５２】
例４：  アルゴリズム・フローチャート  ブランチ  加速度計
１．開始
２．ピーク加速度計センサー・アラーム
３．全てのセンサーから６０秒間のデータ収集  
４．上記２の後、心拍数が少なくとも３０だけ増加したかどうかをチェック
５．もし、そうでなければアラームの終了
６．もし、そうならば：上記２の後、歩数計が３歩以上を示しているかどうかをチェック
７．もし、そうならば、アラームの終了
８．もし、そうでなければ：上記２の後、ＧＰＳの動きが３０ｍより大きいかどうかをチェック
９．もし、そうならばアラームの終了
１０．もし、そうでなければ：事前アラーム
ａ．モニタリング対象ユーザーへの次の手段によるフィードバック
ｉ．携帯電話での大きな音
１．それは止めることができる
ｂ．携帯電話が消音にされていても聞こえる
１１．持続期間は３０秒
１２．ユーザーがアプリケーションを介して手で事前アラームを停止
１３．アラームの終了
１４．もし、アラームが止められない場合：緊急アラーム
ａ．モニタリング対象ユーザーへの次の手段によるフィードバック
ｉ．携帯電話での大きな音
１．持続時間は３０秒
２．止めることができない  
３．携帯電話が消音にされていても聞こえる
ａ．それは以下の目的を果たす
ｉ．モニタリング対象者に、電話が処理されていること、及び助けが提供されることを知らせる
ｉｉ．サイレン・ロゴのついた赤い携帯電話画面
１５．ＩＣＥ（緊急時）番号への電話
１６．オペレーションセンターは、実際の厳しさを理解するためにモニターされたユーザーに電話
１７．もし、モニターされたユーザーが介入を必要としなければ、緊急アラームは停止；
１８．介入が必要な場合には、ＯＣ（オペレーションセンター）が警察、又は救急車、又は消防署に通報する
１９．終了
【００５３】
例５：アルゴリズム・フローチャート  ブランチ  心拍数
１．開始
２．心拍数センサー・アラーム
３．全てのセンサーから約６０秒間のデータ収集
４．ウェアラブル装置からアプリケーション、制御局又は基地局に向かってデータが流れ続けるかどうかがチェック
５．もし、そうならば、心拍数センサーが依然としてアラーム状態にあるかどうかをチェック
６．もし、そうでなければアラームの終了
７．もし、心拍数センサーがまだアラームにあるか、データがウェアラブル装置からアプリケーションアプリケーション、又は制御局、又は基地局へ流れない場合：緊急アラーム
ａ．モニタリング対象ユーザーへの次の手段によるフィードバック
ｉ．携帯電話での大きな音
１．持続時間は３０秒
２．それは停止できない
３．携帯電話が消音にされていても聞こえる
ａ．それは以下の目的を果たす
ｉ．攻撃者に離れるよう誘導する
ｉｉ．モニタリング対象者に、電話が処理されていること、及び助けが提供されることを知らせる
ｉｉ．サイレン・ロゴのついた赤い携帯電話の画面
８．ＩＣＥ（緊急時）番号への電話
９．オペレーションセンターは、実際の厳しさを理解するためにモニターされたユーザーに電話  
１０．もし、モニターされたユーザーが介入を必要としなければ、緊急アラームは停止；
１１．介入が必要な場合には、ＯＣ（オペレーションセンター）が警察又は救急車あるいは消防署に通報
１２．終了
【００５４】
例６：アルゴリズム・フローチャート  ブランチ  皮膚温
１．開始
２．皮膚温センサー・アラーム
３．過去６０分間に、皮膚温の事前アラームが送信されたかどうかをチェック
４．もし、そうならば事前アラームの終了
５．もし、そうでなければ：事前アラーム
ａ．モニタリング対象ユーザーへの次の手段によるフィードバック
ｂ．携帯電話での大きな音
ｃ．停止可能
ｄ．携帯電話が消音にされていても聞こえる  
ｅ．３０秒間持続
６．ユーザーがアプリケーションを介して手で事前アラームを停止
７．事前アラームの終了
８．もし、それが止められない場合：緊急アラーム
ａ．モニタリング対象ユーザーへの次の手段によるフィードバック
ｂ．携帯電話での大きな音
ｃ．３０秒間持続
ｄ．止めることができない  
ｅ．携帯電話が消音にされていても聞こえる  
ｉ．それは以下の目的を果たす  
１．攻撃者に離れるよう誘導する
２．モニタリング対象者に、電話が処理されていること、及び助けが提供されることを知らせる
９．サイレン・ロゴのついた赤い携帯電話の画面  
１０．ＩＣＥ（緊急時）番号への電話
１１．オペレーションセンターは、実際の厳しさを理解するためにモニターされたユーザーに電話
１２．もし、モニターされたユーザーが介入を必要としなければ、緊急アラームは停止；
１３．介入が必要な場合には、ＯＣ（オペレーションセンター）が警察又は救急車あるいは消防署に通報する
１４．終了
【００５５】
本発明は、意図した目的の達成を可能にする。  
上記モニタリングシステムは、２４時間体制でユーザーをモニターする目的で、スマートフォン、タブレット又はＰＣに搭載されたＧＰＳ信号及び搭載されたウェアラブル装置に搭載されたセンサー信号の処理を可能にする。
【００５６】
実行されるモニタリングは、差し迫った危険、及び／又はユーザーが無意識の場合でも迅速な救助介入を可能にする。このようにして、ユーザーは自分で助けを求める必要はないが、自分の積極的な要求に関係なく、自分は救助を受けることができる。
このようにして、ユーザーは、彼／彼女自身で助けを求める必要はなく、彼／彼女は、自身の積極的な要求に関係なく救助を受けることができる。このシステムは、また、彼／彼女が意識的に援助を求めることにも対応できる。
データ検出装置はウェアラブル型であり、それ故、それはユーザーを常時モニタリングし、ユーザーは何もしなくてもよい。
ウェアラブルなデータ検出装置が有する複数のセンサーは、様々な機能パラメーターを監視することを可能にし、従ってユーザーの身体的及び動的な状況の全体像を与える。
ウェアラブルなデータ検出装置が有する複数のセンサーは、様々な機能パラメーターをモニターすることを可能にし、従ってユーザーの身体的及び動的な状況の全体像を与える。
【符号の説明】
【００５７】
１      モニタリングシステム
２      データ検出装置
２ａ    カフ
２ｂ    クリップ固定要素
２ｃ    クリップ
２ｄ    ボタン
３      データ処理装置
４      データ収集制御装置
５      通信装置
５ａ    パーソナルタイプの通信装置
５ｂ    多重通信装置
６      オペレーションセンター
７      警報装置
８      救急サービス
【図１】
2019536177.tif 000003
【図２】
2019536177.tif 000004
【図３ａ】
2019536177.tif 000005
【図３ｂ】
2019536177.tif 000006
【図４ａ】
2019536177.tif 000007
【図４ｂ】
2019536177.tif 000008
【図５】
2019536177.tif 000009
【図６】
2019536177.tif 000010
【国際調査報告】
2019536177.tif 000011
2019536177.tif 000012
2019536177.tif 000013
2019536177.tif 000014
2019536177.tif 000015